(57)【要約】【課題】本発明はケースのハンドルとその製造方法に関し、握持性，耐久性及び衛生面で優れたケースのハンドルとその製造方法を提供することを目的とする。【解決手段】請求項１に係る発明は、物を収納するケースに止着されるベルト体とこれに取り付く芯材からなるハンドル本体と、長手方向に形成された貫通孔内に上記芯材が圧入される筒状の握持体とで構成されたケースのハンドルであって、上記芯材はベルト体を挟持する挟持部を有し、芯材は、当該挟持部を介してベルト体に取り付いていることを特徴とする。そして、請求項２に係る発明は、請求項１に記載のケースのハンドルに於て、芯材の挟持部に、挟持したベルト体の移動を規制する突状体を設けたことを特徴とする。【選択図】      図１
2005008173.tif 000002
【特許請求の範囲】
【請求項１】
物を収納するケースに止着されるベルト体とこれに取り付く芯材からなるハンドル本体と、長手方向に形成された貫通孔内に上記芯材が圧入される筒状の握持体とで構成されたケースのハンドルであって、
上記芯材はベルト体を挟持する挟持部を有し、芯材は、当該挟持部を介してベルト体に取り付いていることを特徴とするケースのハンドル。
【請求項２】
芯材の挟持部に、挟持したベルト体の移動を規制する突状体を設けたことを特徴とする請求項１に記載のケースのハンドル。
【請求項３】
握持体と芯材に、互いのズレを規制する係合部を設けたことを特徴とする請求項１または請求項２に記載のケースのハンドル。
【請求項４】
物を収納するケースに止着されるベルト体と、当該ベルト体を挟持する挟持部を有し、当該挟持部を介してベルト体に取り付く芯材と、長手方向に貫通孔を有する筒状の握持体を夫々製造し、
上記挟持部でベルト体を挟持して芯材をベルト体に取り付けた後、ベルト体の一方から芯材を握持体の貫通孔に挿通して貫通孔を当該芯材で押し広げ乍ら、芯材を貫通孔内に圧入することを特徴とするケースのハンドルの製造方法。
【請求項５】
握持体と芯材に、互いのズレを規制する係合部を設け、握持体への芯材の圧入時に、これらの係合部を係合させることを特徴とする請求項４に記載のケースのハンドルの製造方法。
【発明の詳細な説明】
【０００１】
【発明の属する技術分野】
本発明は、物を収納して持ち運ぶためのケースのハンドルとその製造方法に関する。
【０００２】
【従来の技術】
従来、物を収納して持ち運ぶためのケースにはハンドルが装着されているが、下記の特許文献１には、釣竿を収納する釣竿ケースのハンドルが開示されている。
【０００３】
図２７乃至図２９は特許文献１に開示された釣竿ケース１のハンドル３を示し、このハンドル３は、柔軟性を有する筒状の布状体（筒状体）５と、当該布状体５に内装された芯材７と、布状体５に外装されたゴム筒９とを備え、図２９に示すように扁平状に押し潰された布状体５の両端部１１が、取付片１３と釣竿ケース１の前壁１ａとの間に挟み込まれて前壁１ａに縫着されている。
【０００４】
布状体５に内装された芯材７は樹脂で成形された円弧状の中空パイプからなり、当該芯材７が内装された部位がハンドル３の把持部１４となる。そして、芯材７は円弧状に成形されているため、把持部１４は門状に保形されて前壁１ａとの間に一定の空間Ａが確保されている。そして、把持部１４に前記ゴム筒９が外装されており、把持部１４は芯材７と布状体５，ゴム筒９とで構成されている。
【０００５】
更に、図２８及び図２９に示すようにゴム筒９の表面側には、手Ｈのひらが当接する箇所に複数のスリット１５が左右方向に沿って所定間隔毎に設けられており、各スリット１５から前記布状体５が露出している。
また、ゴム筒９の上下両端部には、夫々、把持部１４の左右の倒れを防止する左右一対の突張部１７が一体形成されている。そして、各突張部１７の底部と前壁１ａとの間に所定の間隙Ｂが設けられており、この間隙Ｂによって把持部１４が左右に所定量だけ揺動可能となっている。そして、このゴム筒９は、成形時に布状体５と一体構成とされている。
【０００６】
而して、上記ハンドル３によれば、把持部１４が前壁１ａとの間に一定の空間Ａを確保して門状に成形されているため、咄嗟の状況で素早く把持部１４を掴んで持ち運ぶことができる利点を有する。
【特許文献１】
特開２００１−１９０２００号公報（段落番号「０００９」〜「００２２」、図３）
【０００７】
【発明が解決しようとする課題】
しかし乍ら、上記ハンドル３は、布で成形された筒状の布状体５内に芯材７が単に差し込まれた構造であるため、芯材７が布状体５内をその長手方向や周方向にズレ易く、而も、布状体５が布のために柔らかく変形し易いこともあって、釣竿ケース１を持ち運んでいる際に把持部１４が捻れ、違和感を与えてしまう欠点があった。
【０００８】
また、斯様に芯材７がズレる度に芯材７の両端の角部が布状体５に摺接するため、長期に亘る使用で布状体５が摩耗してハンドル３が破損してしまう虞があり、更にまた、ゴム筒９内やスリット１５にコマセ等のゴミが目詰まりしてゴム筒９が汚れてしまったり、入り込んだコマセ等の臭いが布状体５に染み付いてしまう等の不具合も指摘されていた。
【０００９】
本発明は斯かる実情に鑑み案出されたもので、上述の如き従来の不具合を解消し、握持性，耐久性及び衛生面で優れたケースのハンドルとその製造方法を提供することを目的とする。
【００１０】
【課題を解決するための手段】
斯かる目的を達成するため、請求項１に係る発明は、物を収納するケースに止着されるベルト体とこれに取り付く芯材からなるハンドル本体と、長手方向に形成された貫通孔内に上記芯材が圧入される筒状の握持体とで構成されたケースのハンドルであって、上記芯材はベルト体を挟持する挟持部を有し、芯材は、当該挟持部を介してベルト体に取り付いていることを特徴とする。
【００１１】
そして、請求項２に係る発明は、請求項１に記載のケースのハンドルに於て、芯材の挟持部に、挟持したベルト体の移動を規制する突状体を設けたことを特徴とし、請求項３に係る発明は、請求項１または請求項２に記載のケースのハンドルに於て、握持体と芯材に、互いのズレを規制する係合部を設けたものである。
一方、請求項４に係るケースのハンドルの製造方法は、物を収納するケースに止着されるベルト体と、当該ベルト体を挟持する挟持部を有し、当該挟持部を介してベルト体に取り付く芯材と、長手方向に貫通孔を有する筒状の握持体を夫々製造し、上記挟持部でベルト体を挟持して芯材をベルト体に取り付けた後、ベルト体の一方から芯材を握持体の貫通孔に挿通して貫通孔を当該芯材で押し広げ乍ら、芯材を貫通孔内に圧入することを特徴とする。
【００１２】
そして、請求項５に係る発明は、請求項４に記載のケースのハンドルの製造方法に於て、握持体と芯材に、互いのズレを規制する係合部を設け、握持体への芯材の圧入時に、これらの係合部を係合させることを特徴とする。
【００１３】
（作用）
請求項１に係る発明によれば、芯材は握持体の貫通孔に圧入されているため、貫通孔の内周との摩擦によって芯材は握持体に対し動き難くズレが規制され、また、握持体の締付力で挟持部がベルト体を挟持して、ベルト体に対する芯材のズレも確実に規制されることとなる。
【００１４】
そして、請求項２に係る発明によれば、握持体の締付力で突状体がベルト体に食い込むため、ベルト体に対する芯材のズレがより確実に規制され、請求項３に係る発明によれば、係合部が芯材に取り付く握持体のズレを規制する。
また、請求項４に係る製造方法によれば、ベルト体と芯材と握持体を夫々製造した後、芯材の挟持部でベルト体を挟持して当該芯材をベルト体に取り付けた後、ベルト体の一方から芯材を握持体の貫通孔に挿通し乍ら、芯材を貫通孔内に圧入してハンドルが製造される。
【００１５】
そして、請求項５に係る発明によれば、握持体への芯材の圧入時に係合部を係合させることで、握持体のズレ防止が図られたハンドルが製造されることとなる。
【００１６】
【発明の実施の形態】
以下、本発明の実施形態を図面に基づいて詳細に説明する。
【００１７】
図１乃至図８は請求項１乃至請求項３の第一実施形態に係るケースのハンドルを示し、図１に於て、２１は釣竿ケースの前壁（以下、「ケース体」という）で、当該ケース体２１は図２７の前壁１ａと同一部位である。
そして、このケース体２１に、ハンドル２３が釣竿ケースの長手方向（上下方向）に沿って取り付けられており、図５に示すようにハンドル２３は、両端部がケース体２１にリベット２５で止着された帯状のベルト体２７とこの長手方向の中央に取り付くグリップ状の芯材２９からなるハンドル本体３１と、長手方向に形成された貫通孔３３内に上記芯材２９が圧入された筒状の握持体３５とで構成されている。
【００１８】
図７に示すように芯材２９は、塩化ビニル，ウレタン，エチレン酢酸ビニル等の合成樹脂で上下一対の断面半円形状の半割れ芯材２９ａ，２９ｂを分割成形して、これらを図３乃至図６の如く円柱状に組み合わせたストレートなグリップ形状をなし、芯材２９は握持体３５に比し大きな剛性（曲げ剛性）を有し、ハンドル２３を握った際にこの芯材２９によって握持体３５の形状が保持され、しっかりした握持感が得られるようになっている。
【００１９】
そして、両半割れ芯材２９ａ，２９ｂの対向面３７，３９の中央には、ベルト体２７が収納可能な凹状の溝からなる挟持部４１，４３がその長手方向に沿って設けられており、図３及び図５，図６に示すように両挟持部４１，４３でベルト体２７を挟持するように対向面３７，３９を向かい合わせて両半割れ芯材２９ａ，２９ｂを当接させると、挟持部４１，４３で区画形成される空間内にベルト体２７が収納されて、その上下方向からベルト体２７が挟持部４１，４３で挟持されるようになっている。尚、ベルト体２７は挟持部４１，４３によってその左右方向からも挟持される。
【００２０】
ベルト体２７は、織布または合成樹脂（成形品），布帛，皮革等からなり、芯材２９に比し剛性が小さく柔軟性を有し、芯材２９より薄肉に成形されている。尚、本実施形態ではベルト体２７を帯状に成形したが、ベルト体２７を断面四角形状や円形状に成形して、半割れ芯材２９ａ，２９ｂ側の挟持部４１，４３をその形状に応じ変更してもよい。
【００２１】
更に、図６及び図７に示すように両挟持部４１，４３の平面状の底部には、ベルト体２７に食い込んで芯材２９のズレを規制する先細形状の突起（突状体）４５，４７が、両半割れ芯材２９ａ，２９ｂの長手方向に複数突設されており、これらの突起４５，４７はベルト体２７の肉厚よりも短く、ベルト体２７に食い込んだ際にベルト体２７を貫通しない寸法とされている。
【００２２】
このように本実施形態は、対向面３７，３９を向かい合わせ、両者の位置を一致させて両半割れ芯材２９ａ，２９ｂを組み合わせたとき、挟持部４１，４３で区画形成される空間内にベルト体２７が収納されて挟持部４１，４３で挟持されるように構成したが、芯材２９の径をベルト体２７の幅と同一寸法に設定して、上述の如き凹状の挟持部４１−２，４３−２に代え、対向面３７，３９全体を挟持部として、当該挟持部に上記突起４５，４７を突設してもよい。
【００２３】
また、対向面３７，３９を当接させてベルト体２７を挟持したが、対向面３７，３９は当接していなくてもよいし、互いに係合したり接着してもよい。
更に、図６及び図７に示すように上側に位置する一方の半割れ芯材２９ａの上方側には、周方向に沿って複数の断面円弧状の突部４９が長手方向に所定間隔を空けて突設されており、各突部４９の先端はハンドル２３を握持する手のひらが痛くないように断面円形形状に成形されている。
【００２４】
そして、芯材２９の両端から突出するベルト体２７の両端部が、ケース体２１に直接リベット２５で止着されている。
尚、図示しないが、図２７に示す取付片１３の如き部材を用いたり、また、接着，溶着，縫着等で直接止着したり、或いはまた、中間部材をケース体２１とベルト体２７との間に介装して、ベルト体２７の端部をケース体２１に間接的に止着してもよい。
【００２５】
一方、握持体３５は芯材２９と同一材料，同一の長さ寸法を以って可撓性を有する断面円形形状の筒状に成形されており、その中央に設けられた断面円形形状の貫通孔３３は前記芯材２９よりも小径に設定されている。
そして、図１及び図２に示すようにその上部周壁には、貫通孔３３に連通する複数の係合孔５１が前記突部４９に対応して長手方向に間隔を空けて設けられており、図８に示すようにベルト体２７の一方を貫通孔３３内に挿入して、握持体３５の可撓性を利用して貫通孔３３を押し広げ乍ら芯材２９を貫通孔３３内に圧入すると、図１，図２及び図５の如く突部４９が各係合孔５１に係合して芯材２９と握持体３５とのズレ防止が図られると共に、押し広げられた握持体３５の弾性的な締付力で半割れ芯材２９ａ，２９ｂの挟持部４１，４３がベルト体２７を更に挟持し、且つベルト体２７を押圧する突起４５，４７がベルト体２７に食い込んで、ベルト体２７に対する芯材２９のズレ防止が図られるようになっている。
【００２６】
また、斯様に突部４９が各係合孔５１に係合して芯材２９が握持体３５の貫通孔３３内に圧入されることで、貫通孔３３や係合孔５１へのゴミの侵入が防止されるが、突部４９が係合孔５１を介して握持体３５の上方に突出することで、確実に芯材２９と握持体３５とのズレが防止されると共に、係合孔５１へのコマセ等のゴミの侵入が確実に防止される。
【００２７】
そして、既述したように握持体３５は芯材２９と同一の長さ寸法とされているため、斯様に握持体３５に芯材２９を圧入して各係合孔５１に突部４９が係合すると、握持体３５の両端の開口部から芯材２９が外部に露出するようになっている。
尚、握持体３５は芯材２９と長さが異なっていてもよく、例えば芯材２９より短く形成してもよいし、同一材料でなくてもよい。
【００２８】
本実施形態に係るハンドル２３はこのように構成されており、当該ハンドル２３は、請求項４及び請求項５に係る発明方法の第一実施形態によって以下の如く製造される。
先ず、上述の如き構成からなるベルト体２７と半割れ芯材２９ａ，２９ｂと握持体３５を、夫々、別個に製造する。
【００２９】
そして、図６及び図７の如く両挟持部４１，４３内にベルト体２７が収納されるように、対向面３７，３９を向かい合わせて半割れ芯材２９ａ，２９ｂをベルト体２７に夫々上下方向から組み合わせることで、ベルト体２７に芯材２９が組み付けられる。
これにより、挟持部４１，４３が上下方向からベルト体２７を挟持すると共に、突起４５，４７が上下方向からベルト体２７を押圧して、ベルト体２７に対する芯材２９のズレ防止が図られたハンドル本体３１が成形される。この時に、ベルト体２７を挟持部４１，４３に接着してもよい。
【００３０】
そして、既述したようにベルト体２７の一方を図８の如く貫通孔３３内に挿入し、握持体３５の可撓性を利用して貫通孔３３を押し広げ乍ら芯材２９を貫通孔３３内に圧入すると、図１乃至図５の如く突部４９が各係合孔５１に係合して芯材２９と握持体３５とのズレ防止が図られ、且つ握持体３５の弾性的な締付力で両半割れ芯材２９ａ，２９ｂの挟持部４１，４３がベルト体２７を更に強固に挟持し、且つ各突起４７，４９がベルト体２７に食い込んで、ベルト体２７に対する芯材２９のズレ防止が図られたハンドル２３が製造される。そして、ベルト体２７の両端部をケース体２１にリベット２５で止着することで、ハンドル２３が釣竿ケースに取り付くこととなる。
【００３１】
本実施形態はこのように構成されているから、釣竿を収納した釣竿ケースを持ち運ぶ際にハンドル２３を握持すると、芯材２９は握持体３５の貫通孔３３に圧入されて保持されているため、貫通孔３３の内周との摩擦によって芯材２９は握持体３５に対し動き難くズレが防止され、更に、係合孔５１と突部４９との係合で握持体３５が芯材２９に位置決めされて、芯材２９の長手方向及び周方向への握持体３５のズレが防止されるが、係合孔５１に係合した突部４９が握持体３５の上方に突出するため、握持体３５のズレが確実に規制されることとなる。
【００３２】
また、芯材２９は握持体３５の貫通孔３３に圧入されているため、握持体３５の弾性的な締付力で半割れ芯材２９ａ，２９ｂが押圧されて挟持部４１，４３がベルト体２７を挟持し、且つベルト体２７を押圧する突起４７，４９がベルト体２７に食い込むため、ベルト体２７に対する芯材２９のズレも確実に防止されることとなる。
【００３３】
そして、握持体３５は可撓性を有する筒状に成形されてその貫通孔３３に芯材２９が圧入された構造上、握持体３５は曲げ剛性の大きな芯材２９によってその形状が保持され乍らも、芯材２９と別体であるため、その可撓性の範囲で手の握り具合に従い歪んで手が痛まず、良好な握持感を与えることとなる。
更にまた、既述したようにベルト体２７は芯材２９に比し剛性が小さく、柔軟性を有するように成形されているため、ハンドル２３を握持して釣竿ケースを持ち運んでいる際に、ベルト体２７が自在に変形して釣竿ケースが揺れ動き、釣竿ケースの振動が緩和されて手に伝わるため疲れない。
【００３４】
そして、係合孔５１に突部４９が収まるように係合しているため、係合孔５１の隙間が塞がれてゴミ等の目詰まりが防止され、また、例えば芯材２９を握持体３５と異なる色に着色しておけば、握持体３５と異なる色の突部４９が握持体３５の上部に露出するため、意匠上、色のコントラストによって美観に優れたものとなる。
【００３５】
このように本実施形態に係るハンドル２３によれば、芯材２９に取り付く握持体３５がズレたり、芯材２９がベルト体２７に沿ってズレることが防止されるため、人に違和感や不快感（持ち難いといった印象）を与えることがなく、而も、芯材２９と別部材で成形された握持体３５が手の握り具合に従いその可撓性の範囲で歪んで良好な握持感を与え、且つベルト体２７が自在に変形して釣竿ケースが揺れ動くため、釣竿ケースの振動が緩和されて手に伝わり、ハンドル２３を良好に握持することが可能となって疲れることがない利点を有する。
【００３６】
また、上述したように芯材２９に取り付く握持体３５がズレたり、芯材２９がベルト体２７に沿ってズレることが防止されるため、これらのズレに起因した摩耗による損傷の虞がなく、更にまた、係合孔５１にコマセ等のゴミが目詰まりすることが防止されるため衛生面でも優れ、そして、芯材２９を握持体３５と異なる色に着色しておけば、握持体３５と突部４９との異なる色のコントラストによって意匠上の美観に優れたものとなる利点を有する。
【００３７】
そして、本実施形態に係る製造方法によって、上述の如き利点を有するハンドル２３を容易に製造することができる利点を有する。
図９乃至図１１は請求項１乃至請求項３の第二実施形態に係るハンドルを示し、以下、本実施形態を図面に基づき説明するが、上記第一実施形態と同一のものには同一符号を付してそれらの説明は省略する。
【００３８】
図中、２９ａ−１，２９ｂ−１は、既述した半割れ芯材２９ａ，２９ｂと同一材料，同一寸法を以って断面半円形状に分割成形された上下一対の半割れ芯材で、両半割れ芯材２９ａ−１，２９ｂ−１の対向面３７，３９を向かい合わせに組み付けて、ストレートな円柱状のグリップ形状からなる芯材２９−１が成形されている。
そして、両半割れ芯材２９ａ−１，２９ｂ−１の対向面３７，３９には、前記半割れ芯材２９ａ，２９ｂと同様、ベルト体２７が収納可能な凹状の溝からなる挟持部４１−１，４３−１が、各半割れ芯材２９ａ−１，２９ｂ−１の長手方向に沿って設けられている。そして、図９及び図１０に示すように両挟持部４１−１，４３−１でベルト体２７を挟持するように対向面３７，３９を一致させて両半割れ芯材２９ａ−１，２９ｂ−１を接合すると、挟持部４１−１，４３−１で区画形成される空間内にベルト体２７が収納されて、その上下方向からベルト体２７が挟持部４１−１，４３−１で挟持されるようになっており、当該芯材２９−１とベルト体２７とでハンドル本体３１−１が構成されている。
【００３９】
而して、本実施形態は、第一実施形態の突起４５，４７に代え、下側の半割れ芯材２９ｂ−１の挟持部４３−１の底部に、ベルト体２７を貫通可能な寸法に設定された先細形状の突起５３を半割れ芯材２９ｂ−１の長手方向に複数突設すると共に、上側の半割れ芯材２９ａ−１の底部に、ベルト体２７を貫通した突起５３の先端が嵌合する嵌合孔５５を、各突起５３に対応して設けたことを特徴とする。
【００４０】
このため、対向面３７，３９を向かい合わせになるように一致させて両半割れ芯材２９ａ−１，２９ｂ−１を組み合わせると、図９に示すように挟持部４１−１，４３−１で挟持されたベルト体２７に突起５３が貫通し、その先端が嵌合孔５５に嵌合して芯材２９−１がベルト体２７にズレることなく取り付くようになっている。
そして、半割れ芯材２９ａ−１の上方側に、握持体３５の係合孔５１に係合可能な突部４９が長手方向に所定間隔を空けて突設されている。
【００４１】
尚、ベルト体２７に突起５３が貫通するための貫通孔を予め形成しておいてもよい。
そして、図１１に示すようにベルト体２７の一方を貫通孔３３内に挿入して、握持体３５の可撓性を利用して貫通孔３３を押し広げ乍ら芯材２９−１を貫通孔３３内に圧入すると、突部４９が係合孔５１に係合して芯材２９−１と握持体３５とのズレ防止が図られると共に、押し広げられた握持体３５の弾性的な締付力で挟持部４１−１，４３−１がベルト体２７を更に強く挟持し、且つ各突起５３が更にベルト体２７を貫通してその先端が嵌合孔５５に嵌合することで、ベルト体２７に対する芯材２９の確実なズレ防止が図られるようになっている。
【００４２】
本実施形態に係るハンドル２３−１はこのように構成されており、当該ハンドル２３−１も、請求項４及び請求項５に係る発明方法の第二実施形態によって以下の如く製造される。
先ず、上述の如き構成からなるベルト体２７と半割れ芯材２９ａ−１，２９ｂ−１と握持体３５を、夫々、別個に製造する。
【００４３】
そして、図１０に示すように両挟持部４１−１，４３−１内にベルト体２７が収納されるように、対向面３７，３９を向かい合わせて半割れ芯材２９ａ−１，２９ｂ−１を組み付ける。
これにより、挟持部４１−１，４３−１が上下方向からベルト体２７を挟持すると共に、突起５３がベルト体２７を貫通してその先端が嵌合孔５５に嵌合することで、ベルト体２７に対する芯材２９−１のズレ防止が図られたハンドル本体３１−１が成形される。
【００４４】
そして、既述したようにベルト体２７の一方を図１１の如く握持体３５の貫通孔３３内に挿入し、握持体３５の可撓性を利用して貫通孔３３を押し広げ乍ら芯材２９−１を貫通孔３３内に圧入すれば、図９の如く突部４９が各係合孔５１に係合して芯材２９−１と握持体３５とのズレ防止が図られ、且つ握持体３５の弾性的な締付力で挟持部４１−１，４３−１がベルト体２７を更に強く挟持し、且つ突起５３の先端がベルト体２７を貫通して嵌合孔５５に嵌合することで、第一実施形態よりも更にベルト体２７に対する芯材２９−１のズレ防止が図られたハンドル２３−１が製造される。そして、ベルト体２７の両端部をケース体２１にリベット２５で止着することで、ハンドル２３−１が釣竿ケースに取り付くこととなる。
【００４５】
本実施形態はこのように構成されているから、釣竿ケースを持ち運ぶ際にハンドル２３−１を握持すると、第一実施形態と同様、芯材２９−１は握持体３５の貫通孔３３に圧入されているため、貫通孔３３の内周との摩擦によって芯材２９−１は握持体３５に対し動き難くズレが防止され、更に、係合孔５１と突部４９との係合で握持体３５が芯材２９−１に位置決めされて芯材２９−１の長手方向及び周方向への握持体３５のズレが防止されるが、係合孔５１に係合した突部４９が握持体３５の上方に突出するため、握持体３５のズレが確実に規制されることとなる。
【００４６】
また、芯材２９−１は握持体３５の貫通孔３３に圧入されているため、握持体３５の弾性的な締付力で挟持部４１−１，４３−１がベルト体２７を強く挟持し、且つベルト体２７に接する突起５３の先端がベルト体２７を貫通して嵌合孔５５に嵌合するため、ベルト体２７に対する芯材２９−１のズレも確実に防止されることとなる。
【００４７】
そして、握持体３５は可撓性を有する筒状に成形されてその貫通孔３３に芯材２９−１が圧入された構造上、本実施形態に於ても、握持体３５は曲げ剛性の大きな芯材２９−１によってその形状が保持され乍らも芯材２９−１と別体であるため、その可撓性の範囲で手の握り具合に従い歪んで手が痛まず、良好な握持感を与えることとなる。
【００４８】
更にまた、ベルト体２７は芯材２９−１に比し剛性が小さく、柔軟性を有するように成形されているため、ハンドル２３−１を握持して釣竿ケースを持ち運んでいる際に、ベルト体２７が自在に変形して釣竿ケースが揺れ動くこととなり、釣竿ケースの振動が緩和されて手に伝わるため疲れない。
そして、係合孔５１に突部４９が合致して係合しているため、係合孔５１の隙間が塞がれてゴミ等の目詰まりが防止され、また、芯材２９−１を握持体３５と異なる色に着色しておけば、握持体３５と異なる色の突部４９が握持体３５の上部に露出するため、意匠上、色のコントラストによって美観に優れたものとなる。
【００４９】
従って、本実施形態に係るハンドル２３−１によっても、第一実施形態のハンドル２３と同様、所期の目的を達成することが可能であり、また、本実施形態に係る製造方法によっても、上述の如き利点を有するハンドル２３−１を容易に製造することができる利点を有する。
図１２乃至図１４は請求項１及び請求項２の一実施形態に係るハンドルを示し、本実施形態も、図１の芯材２９と同一材料，同一寸法，同一の外形形状からなる芯材２９−２を製造するに当たり、上下一対の断面半円形状の半割れ芯材２９ａ−２，２９ｂ−２を分割成形して、これらを組み合わせたものである。
【００５０】
また、両半割れ芯材２９ａ−２，２９ｂ−２の対向面３７，３９には、前記挟持部４１，４３と同様、ベルト体２７が収納可能な凹状の溝からなる挟持部４１−２，４３−２が、各半割れ芯材２９ａ−２，２９ｂ−２の長手方向に沿って設けられているが、図１３に示すように本実施形態は挟持部の底部を平面状にせず、挟持部４１−２の底部を山部Ａと谷部Ｂとが半割れ芯材２９ａ−２の長手方向に交互に連なる断面波形形状に成形すると共に、当該挟持部４１−２に対応させて挟持部４３−２の底部を断面波形形状に成形したことを特徴とする。尚、その他の構成は図１の実施形態と同様であるため、同一のものには同一符号を付してそれらの説明は省略する。
【００５１】
而して、図１３に示すように両挟持部４１−２，４３−２でベルト体２７を挟持するように対向面３７，３９を向かい合わせて両半割れ芯材２９ａ−２，２９ｂ−２を組み合わせると、挟持部４１−２，４３−２で区画形成される空間内にベルト体２７が周囲の隙間が塞がれた状態で収納されて、その上下方向からベルト体２７が挟持部４１−２，４３−２で挟持されるようになっており、本実施形態に於ても、芯材２９−２とベルト体２７とでハンドル本体３１−２が構成されている。
【００５２】
そして、図１４に示すようにベルト体２７の一方を貫通孔３３内に挿入して、握持体３５の可撓性を利用して貫通孔３３を押し広げ乍ら芯材２９−２を貫通孔３３内に圧入すると、突部４９が各係合孔５１に係合して芯材２９−２と握持体３５とのズレ防止が図られると共に、押し広げられた握持体３５の弾性的な締付力で、断面波形形状に成形された挟持部４１−２，４３−２の山部Ａと谷部Ｂが更にベルト体２７を挟持して、ベルト体２７の長手方向に対する芯材２９のズレ防止を図るようになっている。
【００５３】
尚、この山部Ａの先端を尖らせれば、ベルト体２７に食い込んで第一実施形態の突起４５，４７と同様の作用を有するようになる。
本実施形態に係るハンドル２３−２はこのように構成されており、当該ハンドル２３−２も、請求項４及び請求項５に係る発明方法の第三実施形態によって以下の如く製造される。
【００５４】
先ず、上述の如き構成からなるベルト体２７と半割れ芯材２９ａ−２，２９ｂ−２と握持体３５を、夫々、別個に製造する。
そして、図１３に示すように両挟持部４１−２，４３−２内にベルト体２７が収まるように対向面３７，３９を向かい合わせて、半割れ芯材２９ａ−２，２９ｂ−２を組み合わせる。
【００５５】
これにより、挟持部４１−２，４３−２の山部Ａと谷部Ｂがベルト体２７を上下から挟持して、ベルト体２７に対する芯材２９−２のズレ防止が図られたハンドル本体３１−２が成形される。
そして、既述したようにベルト体２７の一方を図１４の如く握持体３５の貫通孔３３内に挿入し、握持体３５の可撓性を利用して貫通孔３３を押し広げ乍ら芯材２９−２を貫通孔３３内に圧入すれば、図１２の如く突部４９が係合孔５１に係合して芯材２９−２と握持体３５とのズレ防止が図られ、且つ握持体３５の弾性的な締付力で両半割れ芯材２９ａ−２，２９ｂ−２の挟持部４１−２，４３−２の山部Ａと谷部Ｂがベルト体２７を上下方向から更に強く挟持して、ベルト体２７を、向かい合わせた挟持部４１−２，４３−２の形状に合致する波形形状で保持することで、ベルト体２７に対する芯材２９−２のズレ防止が図られたハンドル２３−２が製造される。そして、ベルト体２７の両端部をケース体２１にリベット２５で止着することで、ハンドル２３−２が釣竿ケースに取り付くこととなる。
【００５６】
本実施形態はこのように構成されているから、釣竿ケースを持ち運ぶ際にハンドル２３−２を握持すると、芯材２９−２は握持体３５の貫通孔３３に圧入されているため、貫通孔３３の内周との摩擦によって芯材２９−２は握持体３５に対し動き難くズレが防止され、更に、係合孔５１と突部４９との係合で握持体３５が芯材２９−２に位置決めされて、芯材２９−２の長手方向及び周方向への握持体３５のズレが防止されるが、係合孔５１に係合した突部４９が握持体３５の上方に突出するため、握持体３５のズレが確実に規制されることとなる。
【００５７】
また、芯材２９−２は握持体３５の貫通孔３３に圧入されているため、握持体３５の弾性的な締付力によって挟持部４１−２，４３−２の山部Ａと谷部Ｂがベルト体２７を強く挟持するため、ベルト体２７に対する芯材２９−２のズレも確実に防止されることとなる。
そして、握持体３５は、可撓性を有する筒状に成形されてその貫通孔３３に芯材２９−２が圧入された構造上、本実施形態に於ても、握持体３５は曲げ剛性の大きな芯材２９−２によってその形状が保持され乍らも芯材２９−２と別体であるため、その可撓性の範囲で手の握り具合に従い歪んで手が痛まず、良好な握持感を与えることとなる。
【００５８】
更にまた、ベルト体２７は芯材２９−２に比し剛性が小さく、柔軟性を有するように成形されているため、ハンドル２３−２を握持して釣竿ケースを持ち運んでいる際に、ベルト体２７が自在に変形して釣竿ケースが揺れ動くこととなり、釣竿ケースの振動が緩和されて手に伝わるため疲れない。
そして、係合孔５１に突部４９が係合しているため、係合孔５１の隙間が塞がれてゴミ等の目詰まりが防止され、また、本実施形態に於ても、芯材２９−２を握持体３５と異なる色に着色しておけば、握持体３５と異なる色の突部４９が握持体３５の上部に露出するため、意匠上、色のコントラストによって美観に優れたものとなる。
【００５９】
従って、本実施形態に係るハンドル２３−２によっても、図１のハンドル２３と同様、所期の目的を達成することが可能であり、また、本実施形態に係る製造方法によって、斯かるハンドル２３−２を容易に製造することができる利点を有する。
図１５乃至図１７は請求項１乃至請求項３の第三実施形態に係るハンドルを示し、本実施形態は、芯材２９−３を構成する一対の半割れ芯材２９ａ−３，２９ｂ−３を、図７の半割れ芯材２９ａ，２９ｂと同じく成形するに当たり、半割れ芯材２９ａ−３，２９ｂ−３をヒンジ部５７を介して長手方向に一体に連結したもので、材料の柔軟性によってヒンジ部５７にて互いに回動することができ、半割れ芯材２９ａ−３，２９ｂ−３の対向面３７，３９を開いたり、向かい合わせて閉じることができる。そして、対向面３７，３９には、溝からなる挟持部４１，４３がその長手方向に沿って設けられており、両挟持部４１，４３の底部に突起４５，４７が突設されている。
【００６０】
そして、その他の構成及びその製造方法は図１の実施形態と同様で、ベルト体２７と芯材２９−３とでハンドル本体３１−３が構成されており、半割れ芯材２９ａ−３，２９ｂ−３の対向面３７，３９に形成された挟持部４１，４３にベルト体２７が介在するようにして、ヒンジ部５７で半割れ芯材２９ａ−３，２９ｂ−３を回動させて対向面３７，３９を向かい合わせて閉じることで、ベルト体２７の中央に芯材２９−３が組み付き、この時、突起４５，４７がベルト体２７を押圧する。
【００６１】
この後、図１６の如くベルト体２７の一方を握持体３５の貫通孔３３内に挿入して、握持体３５の可撓性を利用して貫通孔３３を押し広げ乍ら芯材２９−３を貫通孔３３内に圧入すれば、図１７の如く突部４９が係合孔５１に係合して芯材２９−３と握持体３５とのズレ防止を図ると共に、押し広げられた握持体３５の弾性的な締付力で、両半割れ芯材２９ａ−３，２９ｂ−３の挟持部４１，４３がベルト体２７を更に強く挟持し、且つ各突起４５，４７がベルト体２７に食い込んで、ベルト体２７に対する芯材２９−３のズレ防止が図られたハンドル２３−３が製造されることとなる。
【００６２】
而して、本実施形態に係るハンドル２３−３によっても、既述した各実施形態と同様、所期の目的を達成することが可能であり、また、本実施形態に係る製造方法によっても、上述したハンドル２３−３を容易に製造することができる利点を有する。
図１８及び図１９は請求項１乃至請求項３の第四実施形態を示し、本実施形態は、半割れ芯材２９ｂ−４を図１の半割れ芯材２９ｂと同一材料を用いてこれと同一形状，同一寸法に成形すると共に、その下方側に、当該半割れ芯材２９ｂ−４の軸心と直交する方向の逆Ｖ字状の切欠き５９を芯材２９の長手方向に複数設けて、図１８の如く握持したハンドル２３−４に釣竿ケースの重さ（負荷）が作用した際に、芯材２９−４が上方に湾曲するように構成したもので、その他の構成は図１の実施形態と同様で、同一のものには同一符号を付してそれらの説明は省略する。
【００６３】
そして、ベルト体２７と芯材２９−４とでハンドル本体３１−４が構成され、図１９の如くベルト体２７の一方を握持体３５の貫通孔３３内に挿入して、握持体３５の可撓性を利用して貫通孔３３を押し広げ乍ら芯材２９−４を貫通孔３３内に圧入すると、突部４９が係合孔５１に係合して芯材２９−４と握持体３５とのズレ防止を図ると共に、押し広げられた握持体３５の弾性的な締付力で、両半割れ芯材２９ａ，２９ｂ−４の挟持部４１，４３がベルト体２７を更に強く挟持し、且つ各突起４５，４７がベルト体２７に食い込んで、ベルト体２７に対する芯材２９−４のズレ防止が図られたハンドル２３−４が製造される。そして、既述したように握持したハンドル２３−４に釣竿ケースの重さが作用すると、芯材２９−４が上方に湾曲し、芯材２９−４に沿って握持体３５も湾曲する。
【００６４】
而して、本実施形態に係るハンドル２３−３によっても、既述した各実施形態と同様、所期の目的を達成することが可能であるが、ハンドル２３−４に釣竿ケースの重さがかかると、図１８の如く芯材２９−４が握持体３５と共に上方が凸となるように湾曲するため、更に良好な握持感を得ることが可能である。
特に、釣竿ケースの荷重が大きくなるほど湾曲が大きくなって、手に急激な荷重がかかることがない。
【００６５】
図２０及び図２１は請求項１乃至請求項３の第五実施形態に係るハンドルを示し、本実施形態に係るハンドル２３−５は、図１の実施形態で既述した係合孔５１に代え、握持体３５と同一寸法，同一材料からなる握持体３５−１の上部内周に凹状の係合孔６１を複数設けると共に、当該係合孔６１に係合可能な突部６３を、芯材２９−５を構成する半割れ芯材２９ａ−５，２９ｂ−５の一方（半割れ芯材２９ａ−５側）に複数突設したもので、その他の構成は図１の実施形態と同様であるため、同一のものには同一符号を付してそれらの説明は省略する。
【００６６】
そして、ベルト体２７と芯材２９−５とでハンドル本体３１−５が構成され、図２１の如くベルト体２７の一方を握持体３５−１の貫通孔３３内に挿入して、握持体３５−１の可撓性を利用して貫通孔３３を押し広げ乍ら芯材２９−５を貫通孔３３内に圧入すれば、突部６３が係合孔６１に係合して芯材２９−５と握持体３５−１とのズレ防止を図ると共に、押し広げられた握持体３５−１の弾性的な締付力で、両半割れ芯材２９ａ−５，２９ｂ−５の挟持部４１，４３がベルト体２７を更に強く挟持し、且つ各突起４５，４７がベルト体２７に食い込んで、ベルト体２７に対する芯材２９−５のズレ防止が図られたハンドル２３−５が製造される。
【００６７】
而して、本実施形態に係るハンドル２３−５によっても、既述した各実施形態と同様、所期の目的を達成することが可能で、握持性，耐久性及び衛生面で優れたケースのハンドル２３−５を提供でき、また、上述の如き製造方法によってハンドル２３−５を容易に製造することが可能である。
図２２乃至図２６は請求項１乃至請求項３の第六実施形態に係るハンドルを示し、以下、本実施形態を図面に基づき説明するが、図１の実施形態と同一のものには同一符号を付してそれらの説明は省略する。
【００６８】
図２２に於て、２９−６は既述した芯材２９と同一材料で成形されたストレートな筒状の芯材で、図２４及び図２５に示すようにその中央に、ベルト体２７が挿通可能な矩形状の貫通孔６５が長手方向に設けられており、貫通孔６５内部の上下の対向面６７，６９間の幅ｍはベルト体２７の肉厚ｎより大きく設定されている。
【００６９】
そして、芯材２９−６は、貫通孔６５の上下壁７１，７３に比べ左右壁７５，７７が薄肉で剛性が小さく成形されており、図２５の如く貫通孔６５にベルト体２７を挿通して芯材２９−６を上下方向から押圧すると、図２３に示すように左右壁７５，７７が歪んで押し潰されて上下の対向面６７，６９が挟持部としてベルト体２７を挟持するようになっており、芯材２９−６とベルト体２７とでハンドル本体３１−６が構成されている。
【００７０】
また、対向面６７，６９の中央には、上述の如く芯材２９−６を上下方向から押し潰して対向面６７，６９でベルト体２７を挟持した際に、ベルト体２７を押圧して芯材２９のズレを規制する先細形状の突起（突状体）７９，８１が対向して突設されており、突起７９，８１はベルト体２７の肉厚ｎよりも短く、ベルト体２７に食い込んだ際にベルト体２７を貫通しない寸法とされている。
【００７１】
そして、本実施形態に於ても、芯材２９−６の上方側に、握持体３５の係合孔５１に係合可能な突部４９が長手方向に所定間隔を空けて突設されており、図２６の如く芯材２９−６を上下方向から押し潰して対向面６７，６９でベルト体２７を挟持し乍ら、ベルト体２７の一方を握持体３５の貫通孔３３内に挿入し、握持体３５の可撓性を利用して貫通孔３３を押し広げ乍ら芯材２９−６を貫通孔３３内に圧入すると、図２２及び図２３の如く突部４９が係合孔５１に係合して芯材２９−６と握持体３５とのズレ防止が図られると共に、押し広げられた握持体３５の弾性的な締付力で対向面６７，６９がベルト体２７を更に強く挟持し、且つベルト体２７を押圧する突起７９，８１がベルト体２７に食い込んで、ベルト体２７に対する芯材２９−６のズレ防止が図られるようになっている。
【００７２】
本実施形態に係るハンドル２３−６はこのように構成されており、当該ハンドル２３−６も、請求項４及び請求項５に係る発明方法の一実施形態によって以下の如く製造される。
先ず、上述の如き構成からなるベルト体２７と芯材２９−６と握持体３５を、夫々、別個に製造する。
【００７３】
そして、図２２の如く芯材２９−６の貫通孔６５内にベルト体２７を挿通させてベルト体２７の中央に芯材２９−６を配置した後、図２５に示すように芯材２９−６を上下方向から押し潰して対向面６７，６９でベルト体２７を挟持することで、ベルト体２７に芯材２９−６が組み付けられる。
これにより、対向面６７，６９が上下方向からベルト体２７を挟持すると共に、突起７９，８１が上下方向からベルト体２７を押圧し、ベルト体２７に対する芯材２９−６のズレ防止が図られたハンドル本体３１−６が成形される。
【００７４】
そして、図２６の如く芯材２９−６を上下方向から押し潰して対向面６７，６９でベルト体２７を挟持し乍ら、ベルト体２７の一方を握持体３５の貫通孔３３内に挿入し、握持体３５の可撓性を利用して貫通孔３３を押し広げ乍ら芯材２９−６を貫通孔３３内に圧入すると、図２２及び図２３の如く突部４９が係合孔５１に係合して芯材２９−６と握持体３５とのズレ防止が図られ、且つ握持体３５の弾性的な締付力で対向面６７，６９がベルト体２７を更に強く挟持すると共に、ベルト体２７に突起７９，８１が食い込んで、ベルト体２７に対する芯材２９−６のズレ防止が図られたハンドル２３−６が製造される。そして、ベルト体２７の両端部をケース体２１にリベット２５で止着することで、ハンドル２３が釣竿ケースに取り付くこととなる。
【００７５】
本実施形態はこのように構成されているから、釣竿を収納した釣竿ケースを持ち運ぶ際にハンドル２３−６を握持すると、芯材２９−６は握持体３５の貫通孔３３に圧入されて保持されているため、貫通孔３３の内周との摩擦によって芯材２９−６は握持体３５に対し動き難くズレが防止され、更に、係合孔５１と突部４９との係合で握持体３５が芯材２９−６に位置決めされて、芯材２９−６の長手方向及び周方向への握持体３５のズレが防止されるが、係合孔５１に係合した突部４９が握持体３５の上方に突出するため、握持体３５のズレが確実に規制されることとなる。
【００７６】
また、芯材２９−６は握持体３５の貫通孔３３に圧入されているため、握持体３５の弾性的な締付力で芯材２９−６が上下方向から押圧されて対向面６７，６９がベルト体２７を強く挟持し、且つベルト体２７を押圧する突起７９，８１が食い込んで、ベルト体２７に対する芯材２９−６のズレも確実に防止されることとなる。
そして、握持体３５は可撓性を有する筒状に成形されてその貫通孔３３に芯材２９−６が圧入された構造上、握持体３５は曲げ剛性の大きな芯材２９−６によってその形状が保持され乍らも芯材２９−６と別体であるため、その可撓性の範囲で手の握り具合に従い歪んで手が痛まず、良好な握持感を与えることとなる。
【００７７】
更にまた、ベルト体２７は芯材２９−６に比し剛性が小さく、柔軟性を有するように成形されているため、ハンドル２３−６を握持して釣竿ケースを持ち運んでいる際に、ベルト体２７が自在に変形して釣竿ケースが揺れ動き、釣竿ケースの振動が緩和されて手に伝わるため疲れない。
そして、本実施形態に於ても、係合孔５１に突部４９が収まるように係合しているため、係合孔５１の隙間が塞がれてゴミ等の目詰まりが防止され、また、例えば芯材２９−６を握持体３５と異なる色に着色しておけば、握持体３５と異なる色の突部４９が握持体３５の上部に露出するため、意匠上、色のコントラストによって美観に優れたものとなる。
【００７８】
このように本実施形態に係るハンドル２３−６によっても、芯材２９−６に取り付く握持体３５がズレたり、芯材２９−６がベルト体２７に沿ってズレることが防止されるため、人に違和感や不快感を与えることがなく、而も、芯材２９−６と別部材で成形された握持体３５が、手の握り具合に従いその可撓性の範囲で歪んで良好な握持感を与え、且つベルト体２７が自在に変形して釣竿ケースが揺れ動くため、釣竿ケースの振動が緩和されて手に伝わり、ハンドル２３−６を良好に握持することが可能となって疲れることがない利点を有する。
【００７９】
また、上述したように芯材２９−６に取り付く握持体３５がズレたり、芯材２９−６がベルト体２７に沿ってズレることが防止されるため、これらのズレに起因した摩耗による損傷の虞がなく、更にまた、係合孔５１にコマセ等のゴミが目詰まりすることが防止されるため衛生面でも優れ、そして、既述の如く芯材２９−６を握持体３５と異なる色に着色しておけば、握持体３５と突部４９との異なる色のコントラストによって意匠上の美観に優れたものとなる利点を有する。
【００８０】
そして、本実施形態に係る製造方法によって、上述の如き利点を有するハンドル２３−６を容易に製造することができる利点を有する。
尚、既述した各実施形態では、握持体３５，３５−１の貫通孔３３を断面円形形状に成形したが、当該貫通孔とこれに圧入する芯材の外形形状を非円形形状に成形して握持体の回り止めを図ってもよく、また、挟持部に突設する突状体も、既述した突起４５，４７，５３，７９，８１等に限定されるものではない。
【００８１】
そして、上記各実施形態は、本発明のハンドルを釣竿ケースに適用したものであるが、かばんやバッグ等を含む物を収納して持ち運ぶためのケースのハンドルとして、様々なケースに適用することができる。
【００８２】
【発明の効果】
以上述べたように、各請求項に係る発明によれば、貫通孔の内周との摩擦によって芯材は握持体に対し動き難くズレが規制され、また、握持体の締付力で挟持部がベルト体を挟持してベルト体に対する芯材のズレも規制されるため、芯材に取り付く握持体がズレたり芯材がベルト体に沿ってズレることがなくなって、握持した時に違和感や不快感を与えることがない。
【００８３】
そして、請求項２に係る発明によれば、握持体の締付力で突状体がベルト体に接するため、ベルト体に対する芯材のズレがより確実に規制され、また、請求項３に係る発明によれば、係合部が芯材に取り付く握持体のズレをより確実に規制することができる利点を有する。
そして、請求項４及び請求項５に係る製造方法によれば、上述の如き作用効果を有するハンドルを容易に製造することができる利点を有する。
【図面の簡単な説明】
【図１】請求項１乃至請求項３の第一実施形態に係るハンドルの正面図である。
【図２】図１に示すハンドルの平面図である。
【図３】図１のＩＩＩ−ＩＩＩ線断面図である。
【図４】図１のＩＶ−ＩＶ線断面図である。
【図５】図１に示すハンドルの断面図である。
【図６】ハンドル本体の分解断面図である。
【図７】ハンドル本体の分解斜視図である。
【図８】図１に示すハンドルの製造方法を示す説明図である。
【図９】請求項１乃至請求項３の第二実施形態に係るハンドルの断面図である。
【図１０】ハンドル本体の分解断面図である。
【図１１】図９に示すハンドルの製造方法を示す説明図である。
【図１２】請求項１及び請求項２の一実施形態に係るハンドルの断面図である。
【図１３】ハンドル本体の分解断面図である。
【図１４】図１１に示すハンドルの製造方法を示す説明図である。
【図１５】請求項１乃至請求項３の第三実施形態に於けるハンドル本体の分解斜視図である。
【図１６】請求項１乃至請求項３の第三実施形態に係るハンドルの製造方法を示す説明図である。
【図１７】ハンドルの断面図である。
【図１８】請求項１乃至請求項３の第四実施形態に係るハンドルの断面図である。
【図１９】図１８に示すハンドルの製造方法の説明図である。
【図２０】請求項１乃至請求項３の第五実施形態に係るハンドルの断面図である。
【図２１】図２０に示すハンドルの製造方法の説明図である。
【図２２】請求項１乃至請求項３の第六実施形態に係るハンドルの断面図である。
【図２３】図２２のＸＸＩＩＩ−ＸＸＩＩＩ線断面図である。
【図２４】ハンドル本体の製造方法を示す説明図である。
【図２５】ハンドル本体の製造方法を示す説明図である。
【図２６】ハンドル本体の製造方法を示す説明図である。
【図２７】従来のハンドルが取り付く釣竿ケースの全体斜視図である。
【図２８】ハンドルの平面図である。
【図２９】図２８に示すハンドルの断面図である。
【符号の説明】
２１  ケース体
２３，２３−１，２３−２，２３−３，２３−４，２３−５，２３−６  ハンドル
２７  ベルト体
２９，２９−１，２９−２，２９−３，２９−４，２９−５，２９−６  芯材
２９ａ，２９ａ−１，２９ａ−２，２９ａ−３，２９ａ−５，２９ｂ，２９ｂ−１，２９ｂ−２，２９ｂ−３，２９ｂ−４，２９ｂ−５    半割れ芯材
３１，３１−１，３１−２，３１−３，３１−４，３１−５，３１−６  ハンドル本体
３３，６５  貫通孔
３５，３５−１  握持体
３７，３９，６７，６９  対向面
４１，４１−１，４１−２，４３，４３−１，４３−２  挟持部
４５，４７，５３，７９，８１  突起
４９，６３  突部
５１，６１  係合孔
５５    嵌合孔
Ａ  山部
Ｂ  谷部
５７  ヒンジ部
５９  切欠き
【図１】
2005008173.tif 000003
【図２】
2005008173.tif 000004
【図３】
2005008173.tif 000005
【図４】
2005008173.tif 000006
【図５】
2005008173.tif 000007
【図６】
2005008173.tif 000008
【図７】
2005008173.tif 000009
【図８】
2005008173.tif 000010
【図９】
2005008173.tif 000011
【図１０】
2005008173.tif 000012
【図１１】
2005008173.tif 000013
【図１２】
2005008173.tif 000014
【図１３】
2005008173.tif 000015
【図１４】
2005008173.tif 000016
【図１５】
2005008173.tif 000017
【図１６】
2005008173.tif 000018
【図１７】
2005008173.tif 000019
【図１８】
2005008173.tif 000020
【図１９】
2005008173.tif 000021
【図２０】
2005008173.tif 000022
【図２１】
2005008173.tif 000023
【図２２】
2005008173.tif 000024
【図２３】
2005008173.tif 000025
【図２４】
2005008173.tif 000026
【図２５】
2005008173.tif 000027
【図２６】
2005008173.tif 000028
【図２７】
2005008173.tif 000029
【図２８】
2005008173.tif 000030
【図２９】
2005008173.tif 000031